(57)【特許請求の範囲】
【請求項１】
被包装物を入れる凹部が形成されたブリスターと、当該ブリスターの対向する二つのフランジ部の端を裏面側に折り返して形成された一対のガイド・フラップに差し込んでスライドさせる台紙とから成るブリスターパッケージにおいて、前記台紙（５）に、前記ブリスター（１）の片端側から前記一対のガイド・フラップ（４，４）に差し込んで前記ブリスター（１）の他端側から突出させる余長部（６）が形成され、当該余長部（６）と前記ブリスター（１）の裏面側を覆う台紙本体（７）との境目に沿って余長部（６）を折起こすための折り目（８）が形成されると共に、前記余長部（６）に、前記折り目（８）と一定の距離（L4）を保って対向する余長部折起こし用の辺部（10）が形成され、前記ブリスター（１）の他端側に、先端部を前記余長部（６）の突出方向に向かって前記フランジ部（３，３）よりも前方へ突出させた前記距離（L4）より長めのタブ（12）が形成されると共に、当該タブ（12）の先端部に、その端を裏面側に折り返して前記辺部（10）に引っ掛けるフック・フラップ（13）が形成されていることを特徴とするブリスターパッケージ。
【請求項２】
前記余長部（６）の長さが、前記ブリスター（１）の最大厚（Ｈ）に略相当する長さに選定され、当該余長部（６）の先端に前記辺部（10）が形成されている請求項１記載のブリスターパッケージ。
【請求項３】
前記余長部（６）の長さが、前記ブリスター（１）の最大厚（Ｈ）以上の長さに選定されて、当該余長部（６）に、前記折り目（８）との間に前記ブリスター（１）の最大厚（Ｈ）に略相当する距離（L2）を保ってその折り目（８）と平行する第二の折り目（９）が形成されると共に、当該第二の折り目（９）の位置もしくはそれより前記台紙本体（７）寄りの位置に前記辺部（10）を形成する打ち抜き孔（11）が設けられている請求項１記載のブリスターパッケージ。
【請求項４】
前記余長部（６）が、前記第二の折り目（９）により前記台紙本体（７）側に折り返されて、その折り返し部分が、前記ブリスター（１）の表面全体又はその一部を覆うカバー（18）となる請求項３記載のブリスターパッケージ。
【請求項５】
前記余長部（６）の前記カバー（18）となる部分に窓孔（60）が穿設されている請求項４記載のブリスターパッケージ。
【請求項６】
前記台紙本体（７）の側端に、その台紙本体（７）が差し込まれた前記ガイド・フラップ（４，４）の片端を掛止するストッパ片（19，19）が突出形成されている請求項１乃至５記載のブリスターパッケージ。
【請求項７】
前記台紙（５）が、紙製もしくはプラスチック製である請求項１乃至６記載のブリスターパッケージ。
【請求項８】
前記ブリスター（１）に、前記タブ（12）の両側に沿って前記フランジ部（３，３）の長手方向へ延びる一対の切込み（14，14）が形成されている請求項１乃至７記載のブリスターパッケージ。
【請求項９】
前記タブ（12）の長さが、前記フック・フラップ（４，４）を前記辺部（10）に引っ掛けて前記余長部（６）を折起こした際に前記フランジ部（３，３）が前記余長部（６）と台紙本体（７）の境目に形成された前記折り目（８）に当接可能な長さに選定されている請求項１乃至８記載のブリスターパッケージ。
【請求項１０】
前記タブ（12）に、前記フック・フラップ（４，４）を前記辺部（10）に引っ掛けて前記余長部（６）を折起こした際に前記台紙（５）に穿設された吊るし孔（15）と連通する吊るし孔（16）が穿設されている請求項１乃至９記載のブリスターパッケージ。
【発明の詳細な説明】
【０００１】
【発明の属する技術分野】
本発明は、被包装物を入れる凹部が形成されたブリスターと、これを取り付ける台紙とから成るブリスターパッケージに係り、特に、ブリスターの対向する二つのフランジ部の端を裏面側に折り返して一対のガイド・フラップが形成され、当該ガイド・フラップに差し込んだ台紙をスライドさせてブリスターの凹部に被包装物を出し入れできるようにしたブリスターパッケージに関する。
【０００２】
【従来の技術】
この種のブリスターパッケージは、図９に示すように、硬質塩化ビニル樹脂やハイインパクトスチレン樹脂等で成る透明プラスチックシートを真空成形あるいは圧空成形して被包装物を入れる凹部９１が形成されると共に、その凹部９１を挟んで互いに対向する二つのフランジ部９２，９２の端を裏面側に折り返して一対のガイド・フラップ９３，９３が形成されたブリスター９０と、そのガイド・フラップ９３，９３に差し込んでブリスター９０の裏面に沿ってスライドさせる台紙９４とで構成されている。
【０００３】
そして、台紙９４は、凹部９１に被包装物が入れられたブリスター９０と重なり合って、そのブリスター９０の吊るし孔９５と台紙９４の吊るし孔９６とが互いに連通する位置までスライドさせ、その位置で、ブリスター９０を台紙９４にホッチキスで止めることにより、ブリスター９０から抜け落ちないようにしている。
【０００４】
【発明が解決しようとする課題】
ところで、近年は、省資源や環境汚染防止のために、地方自治体によるゴミの分別回収が行われ、回収した廃プラスチックの再生利用も図られているが、図９に示す従来のブリスターパッケージは、これを開封する際に、ブリスター９０を台紙９４に止めているホッチキスの針がブリスター９０ごと台紙９４から引き剥がされるため、台紙９４から取り外したブリスター９０には、そのホッチキスの針が付着残存している。
【０００５】
また、ブリスター９０の表面は、ブリスターパック商品全体の表面ともなるので、その表面には、商品の価格や宣伝文句等を印刷した紙製あるいはアルミ箔製の粘着シールが貼り付けられる。したがって、プラスチックゴミとして分別回収されたブリスター９０の多くは、プラスチックとは異質の紙や金属類が付着しているため、これをそのまま廃プラスチック材料として再生利用することができないという問題があった。
【０００６】
また、パッケージデザインを施す印刷スペースが、透明なブリスター９０で覆われる台紙９４の表面のみしかなく、しかも、その表面の一部又は大部分がブリスター９０の凹部９１に入れた被包装物で隠されるため、パッケージデザインの自由度も著しく制約される。
【０００７】
一方、台紙９４の裏面は、商品名や商品の型式を表示する文字、あるいは商品の仕様や取り扱い等に関する説明書きの印刷スペースとして利用されるが、最近は、ＰＬ法の施行に伴って説明書きの記述量が著しく増大したため、印刷文字を小さくして印刷スペースを確保するようにしており、その印刷文字が肉眼で読み取りにくいという問題も生じている。
【０００８】
なお、台紙９４の印刷スペースを広くするために、その台紙９４とブリスター９０の縦横サイズを被包装物の大きさに比して著しく過大化したものもあるが、過大なブリスターパッケージを用いたブリスターパック商品は、嵩張って運送コストが割高になり、商品の陳列スペースが大きくなって売り場効率も悪い。
【０００９】
また、ブリスターパック商品は、そのパッケージに形成された吊るし孔９５，９６によって商品陳列ラックの掛け棒に並べて吊るされるが、その状態では、掛け棒の最も先端側に吊るされた商品を除き、各商品の種類を判別することが困難であった。また、ブリスターパック商品を段ボール箱に箱詰めする場合は、その箱内にパッケージを垂直に立てて並べるのが通常であるが、その箱詰め状態では、段ボール箱の蓋を開けても、台紙９４に印刷された文字等が見えないため、やはり商品の種類を判別することが困難であった。
【００１０】
そこで本発明は、商品陳列ラックの掛け棒に吊るされたり、あるいは段ボール箱に箱詰めされたブリスターパック商品の種類を一目で即座に判別できるようにすると共に、ブリスターパッケージを過大化させずにその台紙の印刷スペースを拡大・拡張し、更に、ブリスターを台紙にホッチキスで止めたり、そのブリスターの表面に商品の価格や宣伝文句等が印刷された粘着シール等を貼らずに済むようにすることを技術的課題としている。
【００１１】
【課題を解決するための手段】
上記の課題を解決するために、本発明は、被包装物を入れる凹部が形成されたブリスターと、当該ブリスターの対向する二つのフランジ部の端を裏面側に折り返して形成された一対のガイド・フラップに差し込んでスライドさせる台紙とから成るブリスターパッケージにおいて、前記台紙に、前記ブリスターの片端側から前記一対のガイド・フラップに差し込んで前記ブリスターの他端側から突出させる余長部が形成され、当該余長部と前記ブリスターの裏面側を覆う台紙本体との境目に沿ってその余長部を折起こすための折り目が形成されると共に、前記余長部に、前記折り目と一定の距離を保って対向する余長部折起こし用の辺部が形成され、前記ブリスターの他端側に、先端部を前記余長部の突出方向に向かって前記フランジ部よりも前方へ突出させた前記距離より長めのタブが形成されると共に、当該タブの先端部に、その端を裏面側に折り返して前記辺部に引っ掛けるフック・フラップが形成されていることを特徴とする。
【００１２】
本発明のブリスターパッケージは、まず、台紙の余長部をブリスターの片端側からガイド・フラップに差し込んでブリスターの他端側から突出させながら、その余長部に形成された余長部折起こし用の辺部に、ブリスターの他端側に形成されたタブのフック・フラップを引っ掛ける。
【００１３】
そして、その状態で、余長部を更に突出させると、余長部折起こし用の辺部がブリスターのタブに引っ張られて、余長部が、台紙本体との境目に形成された折り目によりブリスターの厚み方向に折起こされて起立し、それに伴って、台紙本体が、ブリスターの裏面を覆う位置までスライドすると同時に、余長部折起こし用の辺部に引っ掛けたタブが湾曲し、そのタブの曲げ応力によって、余長部が起立状態に保持され、台紙本体がブリスターの裏面を覆った状態に保持される。
【００１４】
これにより、ブリスターを台紙にホッチキスで止める必要がなくなる。また、台紙は、余長部を形成した分だけ印刷スペースが拡大・拡張され、しかも、その余長部は、ブリスターの厚み方向に折起こされて、ブリスターの端部側等を覆うカバーとなるので、ブリスターパッケージを過大化させることなく、印刷スペースを拡大・拡張することができる。
【００１５】
また、ブリスターの端部側を覆うカバーとなる余長部の表面に、商品名や商品の型式を表示する文字を印刷したり、商品の価格や宣伝文句等が印刷された粘着シールを貼れば、商品陳列ラックの掛け棒に並べて吊られたり段ボール箱に箱詰めされたブリスターパック商品の種類を一目で即座に判別することも可能になるし、ブリスターの表面には粘着シールを貼らずに済むので、プラスチックゴミとして分別回収されたブリスターを廃プラスチック材料としてそのまま再生利用することも可能となる。
【００１６】
【発明の実施の形態】
以下、本発明の実施形態を図面によって具体的に説明する。
図１は本発明のブリスターパッケージを成すブリスターと台紙の一例を示す斜視図、図２及び図３はブリスターパッケージの組立手順を示す斜視図、図４はその組立状態を示す背面側斜視図、図５はプリスターパッケージの陳列状態を示す斜視図、図６乃至図８は夫々本発明のブリスターパッケージの変形例を示す斜視図である。
【００１７】
図１乃至図４に示すブリスターパッケージは、透明プラスチックシートによって被包装物を入れる凹部２が形成されたブリスター１と、そのブリスター１の対向する二つのフランジ部３，３の端を裏面側に折り返して形成された一対のガイド・フラップ４，４に差し込んでスライドさせる紙製もしくはプラスチック製の台紙５とで構成されている。
【００１８】
台紙５には、ブリスター１の片端側からそのガイド・フラップ４，４に差し込んでブリスター１の他端側から突出させる余長部６が形成されると共に、その余長部６とブリスター１の裏面側を覆う台紙本体７との境目に沿って余長部６を折起こすための折り目８が形成されている。
【００１９】
余長部６の長さは、台紙本体７の長さＬ1 にブリスター１の最大厚Ｈに相当する長さを加えた長さに選定され、その余長部６には、折り目８との間にブリスター１の最大厚Ｈに略相当する一定の距離Ｌ2 を保ってその折り目８と平行する第二の折り目９が形成されると共に、当該折り目９の位置に余長部折起こし用の辺部１０を形成する半円形の打ち抜き孔１１が穿設されている。
【００２０】
一方、ブリスター１は、ガイド・フラップ４，４に差し込んだ台紙５の余長部６を突出させる他端側に、先端部を余長部６の突出方向に向かってフランジ部３，３よりも前方へ突出させたタブ１２が形成され、当該タブ１２の先端部には、その端を裏面側に折り返して、余長部６に形成された余長部折起こし用の辺部１０に引っ掛けるフック・フラップ１３が形成されている。
【００２１】
また、ブリスター１には、タブ１２の両側に沿ってフランジ部３，３の長手方向へ延びる一対の切込み１４，１４が形成され、それによって、タブ１２の長さＬ3 が、折り目８と辺部１０との間の距離Ｌ4 よりも長めで、且つ、フック・フラップ１３を辺部１０に引っ掛けて余長部６を折起こした際にフランジ部３，３の端が余長部６と台紙本体７の境目に形成された折り目８に当接可能な長さに選定されている。なお、折り目８と辺部１０との間の距離Ｌ4 は、折り目８及び９間の距離Ｌ2 と同一もしくはそれより短めに選定される。
【００２２】
また、タブ１２には、先端部に形成されたフック・フラップ１３を余長部６の辺部１０に引っ掛けてその余長部６を折起こした際に台紙本体７に穿設された吊るし孔１５と連通する吊るし孔１６が穿設されている。
【００２３】
なお、台紙５の余長部６は、タブ１２のフック・フラップ１３に引っ掛けて折起こされた際に、折り目８及び９間の部分が、ブリスター１の厚み方向に起立してそのブリスター１の端部側を覆う端部カバー１７となり、また、折り目９により台紙本体７側に折り返した部分が、ブリスター１の表面側を覆う表面カバー１８となる。
【００２４】
また、台紙本体７の側端には、余長部６が折起こされたときにガイド・フラップ４，４の片端に当接してそのガイド・フラップ４，４を掛止する一対のストッパ片１９，１９が突出形成されている。
【００２５】
以上が、ブリスター１と台紙５の構成であり、次に、それらによるブリスターパッケージの組立手順について説明する。
まず、図２に示すように、台紙５の余長部６をブリスター１の片端側からガイド・フラップ４，４に差し込んで、ブリスター１を鎖線図示の状態から実線図示の如く相対移動させることにより、余長部６をブリスター１の他端側へスライドさせてその他端側から突出させると共に、余長部６に形成された余長部折起こし用の辺部１０に、ブリスター１に形成されたタブ１２のフック・フラップ１３を引っ掛ける。
【００２６】
そして、余長部６を更に突出させると、図３に示すように、余長部折起こし用の辺部１０がブリスター１のタブ１２で引っ張られて、余長部６が、台紙本体７との境目に形成された折り目８によりブリスター１の厚み方向に折起こされて実線図示の如く起立すると同時に、台紙本体７が、ブリスター１の裏面を覆う位置までスライドして、ブリスターパッケージが自動的に組み立てられ、最後に、実線図示の如く起立した余長部６を第二の折り目９により台紙本体７側へ鎖線図示の如く折り返して、これをブリスター１の端部カバー１７と表面カバー１８にする。
【００２７】
この組立状態において、余長部６は、端部カバー１７の部分が、辺部１０にフック・フラップ１３を引っ掛けて湾曲したタブ１２の曲げ応力によって起立状態に保持され、それに伴って、台紙本体７がブリスター１の裏面を覆った状態に保持される。しかも、ブリスター１のフランジ部３，３が、タブ１２の曲げ応力で台紙本体７の表面に圧し当てられて、ブリスター１と台紙本体７の接触摩擦も強まるので、ブリスターパック商品を陳列したり箱詰めする程度の取り扱い方であれば、ブリスター１を台紙本体７にホッチキスで止めなくてもその組立状態が維持される。ただし、ブリスターパッケージを開封してその内部から被包装物を抜き取る悪戯などを防止するには、ホッチキスで止めることも必要となる。
【００２８】
また、ブリスター１のタブ１２で余長部６を引っ張って折起こす際に、ブリスター１のフランジ部３，３の端が、余長部６と台紙本体７の境目に形成された折り目８に当接して、その折り目８を曲げやすくする支点となるので、タブ１２による余長部６の折起こしをワンタッチで円滑に行うことができる。
【００２９】
また、台紙５の余長部６は、ブリスター１の厚み方向にその最大厚Ｈに相当する長さ起立させた折り目８及び９間の部分が、ブリスター１の端部側を覆う端部カバー１７となり、また、折り目９により台紙本体７側に折り返した部分が、ブリスター１の表面側を覆う表面カバー１８となって納まるので、ブリスターパッケージ全体が過大化することはない。
【００３０】
また、台紙５は、余長部６が端部カバー１７及び表面カバー１８となり、台紙本体７が裏面カバーとなって、ブリスター１を綴じ込んだファイルバインダーの如き形態を成すので、ブリスターパッケージを商品陳列棚などに真っ直ぐ立てた状態で並べ置くことができるし、段ボール箱などに箱詰めする作業も極めて容易になる。
【００３１】
更に、台紙５は、ブリスター１の裏面を覆う台紙本体７に加え、余長部６の表裏両面にも印刷を施すことができるので、ブリスターパッケージの印刷スペースが従来に比べて著しく増大する。
【００３２】
また、ブリスターパッケージの表面に貼るべき値札シール等の粘着シールは、ブリスター１の端部側や表面側を覆うカバー１７，１８の表面に貼ることができるので、ブリスター１の表面には貼らずに済む。
【００３３】
また、端部カバー１７の表面に商品名や商品の型式を表す文字等を印刷すれば、図５に示すように商品陳列ラック５０の掛け棒５１に並べて吊られた各ブリスターパッケージの種類すべてを一目で即座に判別することができる。
【００３４】
なお、余長部６で成る表面カバー１８は、図５に示すように、ブリスター１の表面全体を覆うものであっても良いし、その一部を覆うものであっても良い。また、図６に示すように、表面カバー１８に窓孔６０を穿設して、ブリスター１の凹部２に入れた被包装物が外部から見えるようにしても良い。
【００３５】
また、台紙５には、図１乃至図３に示す台紙本体７の吊るし孔１５に加え、図７に示すように、余長部６の表面カバー１８となる部分に、吊るし孔１５と連通可能な吊るし孔７０を穿設しても良い。
【００３６】
更に、余長部６は、図８に示すように、その長さがブリスター１の最大厚Ｈに略相当する長さに選定されると共に、その先端に余長部折起こし用の辺部１０が形成されて、ブリスター１の端部側を覆う端部カバー１７のみを成すものであっても良い。
【００３７】
【発明の効果】
本発明のブリスターパッケージは、ブリスターと台紙を組み合わせて簡単に組み立てることができると同時に、ブリスターを台紙にホッチキスで止めなくてもその組立状態を保持できる。
【００３８】
また、台紙は、ブリスターの裏面を覆う台紙本体に加え、ブリスターから突出させる余長部が形成されているので、その余長部の分だけ印刷スペースが拡大される。しかも、余長部は、ブリスターの端部や表面を覆うカバーとなるので、ブリスターパッケージが過大化することなく、印刷スペースを拡大することができると同時に、ブリスターパック商品をファイルバインダーの如く商品陳列棚に並べ立てて置くこともでき、また、段ボール箱などへの箱詰め作業も容易になる。
【００３９】
更に、ブリスターの端部や表面を覆うカバーに、商品名や商品の型式、カラーなどを表す文字を印刷すれば、陳列あるいは箱詰めされたブリスターパック商品の種類を一目で判別することもできる。
【００４０】
また、ブリスターの端部や表面を覆うカバーの表面に、商品の値札シール等の粘着シールを貼れば、その粘着シールを従来のようにブリスターの表面に貼らずに済むので、プラスチックゴミとして回収されたブリスターを廃プラスチック材料として再生利用することが容易になるという数々の優れた効果がある。
【図面の簡単な説明】
【図１】本発明のブリスターパッケージを構成するブリスターと台紙の一例を示す斜視図。
【図２】本発明のブリスターパッケージの組立手順を示す斜視図。
【図３】本発明のブリスターパッケージの組立手順を示す斜視図。
【図４】本発明のブリスターパッケージの組立状態を示す背面側斜視図。
【図５】本発明のブリスターパッケージの陳列状態を示す斜視図。
【図６】本発明のブリスターパッケージの変形例を示す斜視図。
【図７】本発明のブリスターパッケージの変形例を示す斜視図。
【図８】本発明のブリスターパッケージの変形例を示す斜視図。
【図９】従来のブリスターパッケージを示す斜視図。
【符号の説明】
１・・・・・ブリスター
２・・・・・凹部
３・・・・・フランジ部
４・・・・・ガイド・フラップ
５・・・・・台紙
６・・・・・余長部
７・・・・・台紙本体
８・・・・・折り目
９・・・・・第二の折り目
１０・・・・・余長部折起こし用の辺部
１１・・・・・打ち抜き孔
１２・・・・・タブ
１３・・・・・フック・フラップ
１４・・・・・切込み
１５・・・・・台紙の吊るし孔
１６・・・・・タブの吊るし孔
１７・・・・・端部カバー
１８・・・・・表面カバー
１９・・・・・ストッパ片
６０・・・・・窓孔
【図１】
0003977499.tif 000002
【図２】
0003977499.tif 000003
【図３】
0003977499.tif 000004
【図４】
0003977499.tif 000005
【図５】
0003977499.tif 000006
【図６】
0003977499.tif 000007
【図７】
0003977499.tif 000008
【図８】
0003977499.tif 000009
【図９】
0003977499.tif 000010